(57)【要約】【課題】周辺機器が適切なコネクタに接続されているか否かを簡易に判断することができる情報処理装置を提供する。【解決手段】コネクタ６０により、接続される周辺機器と所定の通信規格の第１のバージョンで通信可能とされ、コネクタ６２により、接続される周辺機器と当該周辺機器が対応する通信規格のバージョンに応じて当該通信規格の第１のバージョン及び第１のバージョンよりも上位の第２のバージョンで通信可能とされており、ＵＳＢ１．１Ｉ／Ｆ制御部３８及びＵＳＢ２．０Ｉ／Ｆ制御部４８により、コネクタ６０及びコネクタ６２の何れかに周辺機器が接続された場合に、当該周辺機器が対応する通信規格のバージョンを検出し、ＣＰＵ２２により、コネクタ６０に周辺機器が接続され且つ検出したバージョンが第２のバージョンである場合、又は、コネクタ６２に周辺機器が接続され且つ検出したバージョンが第１のバージョンである場合に、当該周辺機器の接続先の変更を通知する。【選択図】図３
2008015604.tif 000002
【特許請求の範囲】
【請求項１】
接続される周辺機器と所定の通信規格の第１のバージョンで通信可能な第１通信手段と、
接続される周辺機器と当該周辺機器が対応する前記通信規格のバージョンに応じて当該通信規格の前記第１のバージョン及び前記第１のバージョンよりも上位の第２のバージョンで通信可能な第２通信手段と、
前記第１通信手段及び前記第２通信手段の何れかに周辺機器が接続された場合に、当該周辺機器が対応する前記通信規格のバージョンを検出する検出手段と、
前記第１通信手段に周辺機器が接続され且つ前記検出手段により検出されたバージョンが前記第２のバージョンである場合、又は、前記第２通信手段に周辺機器が接続され且つ前記検出手段により検出されたバージョンが前記第１のバージョンである場合に、当該周辺機器の接続先の変更を通知する通知手段と、
を備えた情報処理装置。
【請求項２】
前記通知手段は、前記第２通信手段に周辺機器が未接続であると共に前記第１通信手段に周辺機器が接続され且つ前記検出手段により検出されたバージョンが前記第２のバージョンである場合、又は、前記第１通信手段に周辺機器が未接続であると共に前記第２通信手段に周辺機器が接続され且つ前記検出手段により検出されたバージョンが前記第１のバージョンである場合に、当該周辺機器の接続先の変更を通知する
請求項１記載の情報処理装置。
【請求項３】
前記通知手段は、接続先の変更を促すメッセージを表示させること及び警告音を鳴らすことの少なくとも一方により接続先の変更を通知する
請求項１又は請求項２記載の情報処理装置。
【請求項４】
表示装置を備えた外部装置と通信可能な第３通信手段をさらに備え、
前記通知手段は、前記第３通信手段を介して前記外部装置の表示装置に接続先の変更を促すメッセージを表示させることにより接続先の変更を通知する
請求項１乃至請求項３の何れか１項記載の情報処理装置。
【発明の詳細な説明】
【技術分野】
【０００１】
この発明は、情報処理装置に係り、特に、各々同一通信規格の異なるバージョンに対応した複数のコネクタを備えた情報処理装置に関する。
【背景技術】
【０００２】
従来、パーソナル・コンピュータや画像形成装置（所謂、プリンタ）、デジタル複合機等の情報処理装置が他の機器（ここでは「周辺機器」という）と通信を行うための通信規格には、ＵＳＢ（Universal Serial Bus）、イーサネット（登録商標）、ＩＥＥＥ１３９４等の多くの通信規格がある。この種の通信規格には、転送速度の高速化を実現するために規格のバージョンアップが図られ、下位バージョンとの互換性を保ちつつ上位バージョンでより高速な転送速度を実現しているものがある。例えば、ＵＳＢの場合、通信を行う機器が共にＵＳＢ２．０に対応している場合に転送速度が４８０Ｍｂｐｓのハイスピードモードでの通信が可能とされており、通信を行う機器の一方がＵＳＢ２．０に対応し、他方がＵＳＢ２．０の下位バージョンであるＵＳＢ１．１に対応してる場合に転送速度が１２Ｍｂｐｓのフルスピードモードでの通信が可能とされている。
【０００３】
ところで、上記のような情報処理装置には、各々同一通信規格の異なるバージョンに対応した複数のコネクタを備えているものがある。
【０００４】
この種の情報処理装置では、上位側のバージョンに対応したコネクタに対して下位側のバージョンに対応した周辺機器が接続された場合や、下位側のバージョンに対応したコネクタに対して上位側のバージョンに対応した周辺機器が接続された場合、下位側のバージョンの転送速度でしか通信できず、上位側のバージョンに対応したコネクタや周辺機器の通信性能を有効の活用できない、という問題点があった。
【０００５】
そこで、この問題点を解決する技術として、特許文献１には、コネクタに接続された周辺機器との通信方式のバージョンを表示させる技術が提案されている。この技術によれば、表示されたバージョンがコネクタや周辺機器が対応しているバージョンと一致しているか否かをユーザ自身で判断することにより、通信性能が一致する適切なコネクタに周辺機器が接続されているか否かを判断している。
【特許文献１】特開２００３−１５０５３９号公報
【発明の開示】
【発明が解決しようとする課題】
【０００６】
しかしながら、特許文献１の技術では、ユーザ自身が表示されたバージョンがコネクタや周辺機器が対応しているバージョンと一致するか否か判断する必要があるため、周辺機器が適切なコネクタに接続されているか否かの判断が煩雑である、という問題点があった。
【０００７】
本発明は上記問題点を解決するためになされたものであり、周辺機器が適切なコネクタに接続されているか否かを簡易に判断することができる情報処理装置を提供することを目的とする。
【課題を解決するための手段】
【０００８】
上記目的を達成するため、請求項１に記載の発明は、接続される周辺機器と所定の通信規格の第１のバージョンで通信可能な第１通信手段と、接続される周辺機器と当該周辺機器が対応する前記通信規格のバージョンに応じて当該通信規格の前記第１のバージョン及び前記第１のバージョンよりも上位の第２のバージョンで通信可能な第２通信手段と、前記第１通信手段及び前記第２通信手段の何れかに周辺機器が接続された場合に、当該周辺機器が対応する前記通信規格のバージョンを検出する検出手段と、前記第１通信手段に周辺機器が接続され且つ前記検出手段により検出されたバージョンが前記第２のバージョンである場合、又は、前記第２通信手段に周辺機器が接続され且つ前記検出手段により検出されたバージョンが前記第１のバージョンである場合に、当該周辺機器の接続先の変更を通知する通知手段と、を備えている。
【０００９】
請求項１に記載の情報処理装置は、第１通信手段により、接続される周辺機器と所定の通信規格の第１のバージョンで通信可能とされる一方、第２通信手段により、接続される周辺機器と当該周辺機器が対応する通信規格のバージョンに応じて当該通信規格の第１のバージョン及び第１のバージョンよりも上位の第２のバージョンで通信可能とされており、検出手段により、第１通信手段及び第２通信手段の何れかに周辺機器が接続された場合に、当該周辺機器が対応する通信規格のバージョンが検出される。なお、上記所定の通信規格には、ＵＳＢ、イーサネット（登録商標）、ＩＥＥＥ１３９４等の複数のバージョンを有し、かつ上位バージョンが下位バージョンをサポートする全ての通信規格が含まれる。
【００１０】
そして、本発明では、通知手段により、第１通信手段に周辺機器が接続され且つ検出手段により検出されたバージョンが第２のバージョンである場合、又は、第２通信手段に周辺機器が接続され且つ検出手段により検出されたバージョンが第１のバージョンである場合に、当該周辺機器の接続先の変更が通知される。なお、上記通知手段による通知にはディスプレイ装置等によりメッセージや図形等を表示することによる通知、記録用紙等にメッセージや図形等を印刷することによる通知、スピーカ等から音声を出力することによる通知が含まれる。
【００１１】
このように請求項１記載の発明によれば、接続される周辺機器と所定の通信規格の第１のバージョンで通信可能な第１通信手段、及び接続される周辺機器と当該周辺機器が対応する通信規格のバージョンに応じて当該通信規格の第１のバージョン及び第１のバージョンよりも上位の第２のバージョンで通信可能な第２通信手段の何れかに周辺機器が接続された場合に、当該周辺機器が対応する通信規格のバージョンを検出し、第１通信手段に周辺機器が接続され且つ検出したバージョンが第２のバージョンである場合、又は、第２通信手段に周辺機器が接続され且つ検出したバージョンが第１のバージョンである場合に、当該周辺機器の接続先の変更を通知しているので、周辺機器が適切なコネクタに接続されているか否かを簡易に判断することができる。
【００１２】
なお、本発明の通知手段は、請求項２記載のように、前記第２通信手段に周辺機器が未接続であると共に前記第１通信手段に周辺機器が接続され且つ前記検出手段により検出されたバージョンが前記第２のバージョンである場合、又は、前記第１通信手段に周辺機器が未接続であると共に前記第２通信手段に周辺機器が接続され且つ前記検出手段により検出されたバージョンが前記第１のバージョンである場合に、当該周辺機器の接続先の変更を通知することが好ましい。
【００１３】
また、本発明の通知手段は、請求項３記載のように、接続先の変更を促すメッセージを表示させること及び警告音を鳴らすこと少なくとも一方により接続先の変更を通知するものとしてもよい。
【００１４】
さらに、本発明は、請求項４記載のように、表示装置を備えた外部装置と通信可能な第３通信手段をさらに備え、前記通知手段が、前記第３通信手段を介して前記外部装置の表示装置に接続先の変更を促すメッセージを表示させることにより接続先の変更を通知するものとしてもよい。
【発明の効果】
【００１５】
以上説明したように、本発明によれば、接続される周辺機器と所定の通信規格の第１のバージョンで通信可能な第１通信手段、及び接続される周辺機器と当該周辺機器が対応する通信規格のバージョンに応じて当該通信規格の第１のバージョン及び第１のバージョンよりも上位の第２のバージョンで通信可能な第２通信手段の何れかに周辺機器が接続された場合に、当該周辺機器が対応する通信規格のバージョンを検出し、第１通信手段に周辺機器が接続され且つ検出したバージョンが第２のバージョンである場合、又は、第２通信手段に周辺機器が接続され且つ検出したバージョンが第１のバージョンである場合に、当該周辺機器の接続先の変更を通知しているので、周辺機器が適切なコネクタに接続されているか否かを簡易に判断することができる、という優れた効果が得られる。
【発明を実施するための最良の形態】
【００１６】
以下、図面を参照して、本発明の実施の形態について詳細に説明する。なお、以下では、本発明をデジタル複写機等の画像形成装置に適用した場合について説明する。
【００１７】
図１に示されるように、本実施の形態に係る画像形成装置１０は、装置全体の動作を制御するメインコントローラ２０と、図示しない商用電源に接続されて当該商用電源から供給される電圧を低電圧に変圧してメインコントローラ２０に供給するＬＶＰＳ（低電圧電源）１２と、所定の読込位置に載置された記録用紙から画像を読み込み、当該画像を示す画像データを取得するスキャナ１４と、電子写真方式にて記録用紙上への画像の印刷を行う画像形成部１６と、ユーザからの各種の操作指示が入力される操作パネル１８と、を備えている。
【００１８】
なお、本実施の形態に係る操作パネル１８には、操作メニューやメッセージ等を表示する表示パネル１８Ａ及び各種の操作指示が入力される操作ボタン１８Ｂが設けられている。
【００１９】
メインコントローラ２０は、装置全体の動作を司るＣＰＵ（中央処理装置）２２と、制御プログラムや後述する接続コネクタ適正判定処理プログラムを含む各種プログラム等が予め記憶されたＲＯＭ２４と、各種データを一時的に記憶するＲＡＭ２６と、表示パネル１８Ａへの各種情報の表示を制御するディスプレイドライバ２８と、操作ボタン１８Ｂに対する操作状態を検出する操作入力検出部３０と、を備えている。
【００２０】
ＣＰＵ２２、ＲＯＭ２４、ＲＡＭ２６、ディスプレイドライバ２８、及び操作入力検出部３０は、システムバスＢＵＳを介して相互に接続されている。従って、ＣＰＵ２２は、ＲＯＭ２４、ＲＡＭ２６へのアクセスと、ディスプレイドライバ２８を介した表示パネル１８Ａへの各種情報の表示を行うことができると共に、操作入力検出部３０を介した操作ボタン１８Ｂに対するユーザの操作常態を把握することができる。
【００２１】
また、メインコントローラ２０は、スキャナ１４による光学的な画像の読み取りを制御するスキャナドライバ３２と、前述した画像形成部１６の作動を制御する画像形成制御部３４と、ネットワーク１９に接続され、当該ネットワーク１９に接続された図示しない外部装置との間で通信データの送受信を行うネットワークＩ／Ｆ（インタフェース）部３６と、ＵＳＢ１．１Ｉ／Ｆ制御部３８に接続され、当該ＵＳＢ１．１Ｉ／Ｆ制御部３８との間でデータを送受信するＰＣＩ（Peripheral Component Interconnect）バス４０と、各種の拡張カードが増設可能なＰＣＩオプション基板４２に接続され、当該ＰＣＩオプション基板４２に増設された拡張カードとの間でデータを送受信する外部Ｉ／Ｆ４４と、を備えている。
【００２２】
ＵＳＢ１．１Ｉ／Ｆ制御部３８は、ＵＳＢの規格に対応した形状のコネクタ６０に接続され、当該コネクタ６０に接続される周辺機器との間でＵＳＢ１．１の通信規格での通信データの送受信の制御を行う。
【００２３】
また、本実施の形態に係るＰＣＩオプション基板４２には、拡張カードとしてＵＳＢ２．０基板４６が増設されている。このＵＳＢ２．０基板４６は、ＵＳＢの規格に対応した形状のコネクタ６２と、当該コネクタ６２に接続され、当該コネクタ６２に接続される周辺機器との間でＵＳＢ２．０の通信規格での通信データの送受信の制御を行うＵＳＢ２．０Ｉ／Ｆ制御部４８と、を備えている。
【００２４】
スキャナドライバ３２、画像形成制御部３４、ネットワークＩ／Ｆ部３６、ＰＣＩバス４０、及び外部Ｉ／Ｆ４４もまた、上述したシステムバスＢＵＳに接続されている。従って、ＣＰＵ２２は、スキャナドライバ３２を介したスキャナ１４の作動の制御、画像形成制御部３４を介した画像形成部１６の作動の制御、ネットワークＩ／Ｆ部３６を介した通信データの送受信の制御、ＰＣＩバス４０及びＵＳＢ１．１Ｉ／Ｆ制御部３８を介した、コネクタ６０に接続された周辺機器とのデータの送受信の制御、外部Ｉ／Ｆ４４、ＰＣＩオプション基板４２及びＵＳＢ２．０Ｉ／Ｆ制御部４８を介した、コネクタ６２に接続された周辺機器とのデータの送受信の制御、を各々行うことができる。
【００２５】
ＵＳＢ１．１Ｉ／Ｆ制御部３８は、ＵＳＢに対応した周辺機器６４がコネクタ６０に接続された場合に、当該周辺機器６４との間でネゴシエーションを行って周辺機器６４が対応する通信モードを検出すると共に、ＵＳＢ１．１に対応した通信モード（ロースピードモード又はハイスピードモード）での通信を確立する。そして、ＵＳＢ１．１Ｉ／Ｆ制御部３８は、検出した通信モードに基づいて周辺機器６４が対応するＵＳＢのバージョンを検出し、検出したバージョンを示すバージョン情報をＣＰＵ２２へ送信する。
【００２６】
一方、ＵＳＢ２．０Ｉ／Ｆ制御部４８は、ＵＳＢに対応した周辺機器６６がコネクタ６２に接続された場合に、当該周辺機器６６との間でネゴシエーションを行って周辺機器６６が対応する通信モードを検出すると共に、ＵＳＢ２．０に対応した通信モード（ロースピードモード又はハイスピードモード又はフルスピードモード）での通信を確立する。そして、ＵＳＢ２．０Ｉ／Ｆ制御部３８は、検出した通信モードに基づいて周辺機器６６が対応するＵＳＢのバージョンを検出し、検出したバージョンを示すバージョン情報をＣＰＵ２２へ送信する。
【００２７】
また、ＵＳＢ１．１Ｉ／Ｆ制御部３８及びＵＳＢ２．０Ｉ／Ｆ制御部４８は、ＣＰＵ２２からの問合せに応じて、対応するコネクタに周辺機器が接続されているか否かを通知することができる。
【００２８】
図２には、本実施の形態に係るメインコントローラ２０の分解斜視図が示されている。
【００２９】
同図に示すように、メインコントローラ２０は、プリント配線基板２０Ａ上にＣＰＵ２２や、ＲＯＭ２４、ＲＡＭ２６等の各種電子素子が実装されており、ケーブルによりＬＶＰＳ１２や操作パネル１８が接続されている。
【００３０】
また、プリント配線基板２０Ａに設けられたコネクタ７０にはＰＣＩオプション基板４２が接続されており、当該ＰＣＩオプション基板４２に設けられたコネクタ７２にはＰＣＩ−コネクタ基板７４を介してＵＳＢ２．０基板４６が接続されている。
【００３１】
次に、図３を参照しつつ、ＣＰＵ２２により接続コネクタ適正判定処理プログラムが実行された際の画像形成装置１０の作用を説明する。なお、図３は、ＵＳＢ１．１Ｉ／Ｆ制御部３８及びＵＳＢ２．０Ｉ／Ｆ制御部４８よりバージョン情報が入力した際にＣＰＵ２２により実行される接続コネクタ適正判定処理プログラムの流れを示すフローチャートである。
【００３２】
同図のステップ１００では、バージョン情報がＵＳＢ１．１Ｉ／Ｆ制御部３８より入力されたか否かを判定することにより、コネクタ６０に周辺機器６４が接続された否かを判定し、肯定判定となった場合はステップ１０２へ移行する一方、否定判定となった場合はステップ１０８へ移行する。なお、本ステップ１００が否定判定となる場合は、コネクタ６２に周辺機器６６が接続されてバージョン情報がＵＳＢ２．０Ｉ／Ｆ制御部４８より入力した場合である。
【００３３】
ステップ１０２では、入力したバージョン情報により示されるバージョンがＵＳＢ２．０であるか否かを判定し、肯定判定となった場合はステップ１０４へ移行し、否定判定となった場合は本接続コネクタ適正判定処理プログラムを終了する。
【００３４】
すなわち、コネクタ６０に周辺機器６４が接続された場合、上述したように、ＵＳＢ１．１Ｉ／Ｆ制御部３８よってネゴシエーションが行われて、周辺機器６４が対応しているＵＳＢのバージョンが検出され、バージョンを示すバージョン情報がＣＰＵ２２へ出力される。このバージョン情報により示されるバージョンがＵＳＢ１．１である場合、ＵＳＢ１．１Ｉ／Ｆ制御部３８の通信性能と同じであり、周辺機器６４の通信性能を有効に活用できるため、周辺機器６４の接続先を変更する必要がない。一方、バージョン情報により示されるバージョンがＵＳＢ２．０である場合、ＵＳＢ１．１Ｉ／Ｆ制御部３８がＵＳＢ１．１に対応しているために周辺機器６４とコネクタ６０との通信がＵＳＢ１．１に対応した通信モードとなってしまう。このため、周辺機器６４の通信性能を有効に活用するには周辺機器６４の接続先をコネクタ６２に変更させる必要がある。
【００３５】
ステップ１０４では、ＵＳＢ２．０Ｉ／Ｆ制御部４８に対してコネクタ６２に周辺機器が接続されているか否かの問合せを行う。次のステップ１０６では、問合に応じてＵＳＢ２．０Ｉ／Ｆ制御部４８から通知される情報に基づいてコネクタ６２に周辺機器が接続されている否かを判定し、肯定判定となった場合は本接続コネクタ適正判定処理プログラムを終了し、否定判定となった場合はステップ１１４へ移行する。
【００３６】
すなわち、コネクタ６２に他の周辺機器６６が既に接続されている場合、周辺機器６４の接続先を変更できないため、後述するステップ１１４による接続先の変更の通知を行わずに処理終了となる。
【００３７】
一方、ステップ１０８では、コネクタ６２に周辺機器６６が接続されてバージョン情報がＵＳＢ２．０Ｉ／Ｆ制御部４８より入力しているため、入力したバージョン情報により示されるバージョンがＵＳＢ１．１であるか否かを判定し、肯定判定となった場合はステップ１１０へ移行し、否定判定となった場合は本接続コネクタ適正判定処理プログラムを終了する。
【００３８】
すなわち、コネクタ６２に周辺機器６６が接続された場合、上述したように、ＵＳＢ２．０Ｉ／Ｆ制御部４８よってネゴシエーションが行われて、周辺機器６６が対応しているＵＳＢのバージョンを示すバージョン情報がＣＰＵ２２へ出力される。このバージョン情報により示されるバージョンがＵＳＢ２．０である場合、ＵＳＢ２．０Ｉ／Ｆ制御部４８の通信性能と同じであるため、周辺機器６６の接続先を変更する必要がない。一方、バージョン情報により示されるバージョンがＵＳＢ１．１である場合、ＵＳＢ２．０Ｉ／Ｆ制御部４８の通信性能の有効に活用できないため、周辺機器６６の接続先をコネクタ６０に変更させて、後からＵＳＢ２．０に対応した他の周辺機器をコネクタ６２に接続させることにより、ＵＳＢ２．０Ｉ／Ｆ制御部４８の通信性能を有効の活用することができる。
【００３９】
ステップ１１０では、ＵＳＢ１．１Ｉ／Ｆ制御部３８に対してコネクタ６０に周辺機器が接続されているか否かの問合せを行う。次のステップ１１２では、問合に応じてＵＳＢ１．１Ｉ／Ｆ制御部３８から通知される情報に基づいてコネクタ６０に周辺機器が接続されているか否かを判定し、肯定判定となった場合は本接続コネクタ適正判定処理プログラムを終了し、否定判定となった場合はステップ１１４へ移行する。
【００４０】
ステップ１１４では、ディスプレイドライバ２８を制御して表示パネル１８Ａに周辺機器の接続先の変更を促すメッセージを所定時間（例えば、３０秒間）表示させ、その後、本接続コネクタ適正判定処理プログラムを終了する。なお、表示パネル１８Ａにメッセージの表示させると共に警告音（いわゆるビープ（Ｂｅｅｐ）音）を発生させるものとしてもよく、また、警告音のみを発生させることにより周辺機器の接続先の変更を促すものとしてもよい。
【００４１】
図４には、上記ステップ１１４の処理により表示パネル１８Ａに表示されるメッセージの一例が示されている。
【００４２】
ユーザは、このようなメッセージが表示パネル１８Ａに表示されるか否かを確認することにより、通信性能が一致する適切なコネクタに周辺機器が接続されているか否かを簡易に判断することができる。
【００４３】
そして、表示パネル１８Ａに当該メッセージが表示された場合、周辺機器の接続先を変更することにより、上位バージョンに対応したコネクタや周辺機器の通信性能を有効に活用することができる。
【００４４】
以上のように本実施の形態によれば、第１通信手段（ここでは、コネクタ６０）により、接続される周辺機器と所定の通信規格の第１のバージョンで通信可能とされ、第２通信手段（ここでは、コネクタ６２）により、接続される周辺機器と当該周辺機器が対応する通信規格のバージョンに応じて当該通信規格の第１のバージョン及び第１のバージョンよりも上位の第２のバージョンで通信可能とされており、検出手段（ここでは、ＵＳＢ１．１Ｉ／Ｆ制御部３８及びＵＳＢ２．０Ｉ／Ｆ制御部４８）により、第１通信手段及び第２通信手段の何れかに周辺機器が接続された場合に、当該周辺機器が対応する通信規格のバージョンを検出し、通知手段（ここでは、ＣＰＵ２２）により、第１通信手段に周辺機器が接続され且つ検出手段により検出されたバージョンが第２のバージョンである場合、又は、第２通信手段に周辺機器が接続され且つ検出手段により検出されたバージョンが第１のバージョンである場合に、当該周辺機器の接続先の変更を通知するので、周辺機器が適切なコネクタに接続されているか否かを簡易に判断することができる。
【００４５】
また、本実施の形態によれば、通知手段は、第２通信手段に周辺機器が未接続であると共に第１通信手段に周辺機器が接続され且つ検出手段により検出されたバージョンが第２のバージョンである場合、又は、第１通信手段に周辺機器が未接続であると共に第２通信手段に周辺機器が接続され且つ検出手段により検出されたバージョンが第１のバージョンである場合に、当該周辺機器の接続先の変更を通知しているので、周辺機器の接続先を変更できない場合に、接続先の変更が通知されることを防止できる。
【００４６】
なお、本実施の形態では、ＵＳＢ１．１に対応するコネクタ６０及びＵＳＢ２．０に対応するコネクタ６２をそれぞれ１個のみ備えた場合について説明したが、本発明はこれに限定されるものではなく、それぞれ複数個備えるものとしてもよい。この場合、例えば、ＵＳＢ１．１に対応するコネクタにＵＳＢ２．０に対応する周辺機器が接続された場合はＵＳＢ２．０に対応するコネクタの何れかに周辺機器が接続されていない場合に接続先の変更を促すメッセージを表示するようにすればよい。
【００４７】
また、本実施の形態では、表示パネル１８Ａにメッセージの表示させたり、警告音により周辺機器の接続先の変更を通知する場合について説明したが、本発明はこれに限定されるものではなく、例えば、コネクタ６０やコネクタ６６にそれぞれＬＥＤ（発光ダイオード）を設け、接続先の変更を通知する場合にＬＥＤを点灯させるものとしてもよい。また、例えば、ネットワークＩ／Ｆ部３６（第３通信手段）を介してネットワーク１９に接続されたパーソナル・コンピュータ等の外部装置に備えられた表示装置に接続先の変更を促すメッセージを表示させることにより接続先の変更を通知するものとしてもよい。また、例えば、記録用紙にメッセージや図形（マークなど）を印刷することにより、接続先の変更を通知するものとしてもよい。
【００４８】
その他、本実施の形態で説明した画像形成装置１０の構成（図１、図２参照。）は、一例であり、本発明の主旨を逸脱しない範囲内において適宜変更可能であることは言うまでもない。
【００４９】
また、本実施の形態で説明した接続コネクタ適正判定処理プログラムの処理の流れ（図３参照。）も一例であり、本発明の主旨を逸脱しない範囲内において適宜変更可能であることは言うまでもない。
【００５０】
さらに、本実施の形態で説明した表示パネル１８Ａに表示されるメッセージ（図４参照。）も一例であり、本発明の主旨を逸脱しない範囲内において適宜変更可能であることは言うまでもない。
【図面の簡単な説明】
【００５１】
【図１】実施の形態に係る画像形成装置の構成を示すブロック図である。
【図２】実施の形態に係るメインコントローラの分解斜視図である。
【図３】実施の形態に係る接続コネクタ適正判定処理プログラムの処理の流れを示すフローチャートである。
【図４】実施の形態に係る表示パネルに表示されるメッセージの表示状態例を示す概略図である。
【符号の説明】
【００５２】
１０  画像形成装置
２２  ＣＰＵ
３６  ネットワークＩ／Ｆ部
３８  ＵＳＢ１．１Ｉ／Ｆ制御部
４８  ＵＳＢ２．０Ｉ／Ｆ制御部
６０  コネクタ
６２  コネクタ
【図１】
2008015604.tif 000003
【図２】
2008015604.tif 000004
【図３】
2008015604.tif 000005
【図４】
2008015604.tif 000006